(57)【要約】【課題】  一対の破砕ドラム体で破砕し難い材質が混入した廃コンクリート材であっても、装置自体の損傷を低減することが可能な廃コンクリート材破砕装置を得る。【解決手段】    廃コンクリート材が投入される破砕室と、破砕室内に回動軸が互いに平行になるように配置され、対向近接する破砕領域に引き込まれた廃コンクリート材を圧潰して破砕する一対の破砕ドラム体と、一対の破砕ドラム体を回転駆動して、投入された廃コンクリート材を破砕領域に引き込んで破砕する１つ以上の駆動源と、一対の破砕ドラム体の回動軸のトルクを計測する計測手段と、トルクが予め定められた閾値を超えた場合に駆動源の回転駆動を逆回転方向に切換える制御手段とを備えたもの。【選択図】      図２
2013255875.tif 000002
【特許請求の範囲】
【請求項１】
廃コンクリート材が投入される破砕室と、
この破砕室内に回動軸が互いに平行になるように配置され、対向近接する破砕領域に引き込まれた廃コンクリート材を圧潰して破砕する一対の破砕ドラム体と、
一対の破砕ドラム体を回転駆動して、投入された廃コンクリート材を破砕領域に引き込んで破砕する１つ以上の駆動源と、
前記一対の破砕ドラム体の回動軸のトルクを計測する計測手段と、
前記トルクが予め定められた閾値を超えた場合に前記駆動源の回転駆動を逆回転方向に切換える制御手段とを備えたことを特徴とする廃コンクリート材破砕装置。
【請求項２】
前記駆動源が作動流体により回転駆動する油圧モーターであり、
前記計測手段が、油圧モーターへの作動流体の圧力を計測する圧力計であり、
前記制御手段が、前記圧力計により作動流体の圧力が予め定められた閾値を超えた際に油圧モーターへの作動流体の流れを切換える切換弁に指示を与えるものであることを特徴とする請求項１に記載の廃コンクリート材破砕装置。
【請求項３】
前記一対の破砕ドラム体の一方の第１ドラム体のドラム面に均等に配された多数の第１突起部と、
他方のドラム体の第２ドラム体のドラム面に前記第１突起部同士の間に噛み合うように配された第２突起部とを備えたことを特徴とする請求項１又は２に記載の廃コンクリート材破砕装置。
【請求項４】
請求項１〜３の何れかに記載された廃コンクリート材破砕装置を配した廃コンクリート材破砕プラントであって、
廃コンクリート材を一対の破砕ドラム体により圧潰して破砕する前記廃コンクリート材破砕装置と、
廃コンクリート材破砕装置で破砕されたコンクリート材を所望の大きさで篩い分ける第１篩装置と、
第１篩装置の篩を通過しなかったコンクリート材を再度前記廃コンクリート材破砕装置へ投入する投入手段と、
第１篩装置の篩を通過した破砕コンクリート材を一対の破砕ドラム体により更に圧潰して破砕する別の廃コンクリート材破砕装置と、
別の廃コンクリート材破砕装置で破砕されたコンクリート材を所望の大きさで篩い分ける第２篩装置とを備えたことを特徴とする廃コンクリート材破砕プラント。
【請求項５】
前記第１又は第２篩装置が篩面を上下動させる振動篩装置であることを特徴とする請求項４に記載の廃コンクリート材破砕プラント。
【請求項６】
前記第２篩装置が複数の篩目を数段組み合わせたものであることを特徴とする請求項４又は５に記載の廃コンクリート材破砕プラント。
【発明の詳細な説明】
【技術分野】
【０００１】
本発明は、マンション、ビル、橋等のコンクリート構造物が解体された際に排出される廃コンクリート材を、所望の大きさに破砕して新たなコンクリート骨材とする廃コンクリート材破砕装置及び破砕プラントに関する。
【背景技術】
【０００２】
マンション、ビル、橋等の解体で発生した廃コンクリート材は、２０００年度では３，５００万ｔで、再利用率は９５％以上との試算がある。しかしながら、その再利用の用途は舗装用路盤材や埋戻し、裏込め材が殆どである。一方、この廃コンクリート材は、高度成長期に建設した構造物の立て替え等で今後増加することが予想されており、再生骨材をより積極的に利用していかなければならなくなると予測される。
【０００３】
一方、鉄筋材や鉄骨材等のような廃コンクリート材を破砕する場合には、大部分がコンクリート材ではあるが、構造物によっては、コンクリートの他に鉄筋材や鉄骨材等のようにコンクリートより高い破砕強度の異物を含んでいる。
【０００４】
このため、廃鉄塊等の異物を含んだ廃コンクリートを破砕する際には、コンクリートと一緒に異物を破砕することができず、異物が破砕駆動ロール及び破砕従転ロール間に噛合い、破砕作業の中断が余儀なくされる点にある。また、破砕駆動ロール及び破砕従転ロール間に異物が噛合った際に破砕作業を中断させないために、破砕駆動回転体とこれに追従する破砕従転回転体とで廃コンクリートを破砕するロールクラッシャーにおいて、追従回転体を水平方向に移動可能として、回転体の相互間隔を拡大して異物の通過を可能にさせるものが提案されている（特許文献１）。
【０００５】
しかしながら、この提案では、追従回転体といえども大きな重量の追従回転体を水平方向に移動可能とし、尚且つ、弾性押圧部材で破砕駆動回転体方向に押圧しなければならず、追従回転体のスムーズな移動と押圧のための基台の構造及びメンテナンス等が必要となることは言うまでもない。
【先行技術文献】
【特許文献】
【０００６】
【特許文献１】特開２０１１−２００３９号公報
【発明の概要】
【発明が解決しようとする課題】
【０００７】
本発明は、特別な構造をとらずとも、一対の破砕ドラム体で破砕し難い材質が混入した廃コンクリート材であっても、装置自体の損傷を低減することが可能な廃コンクリート材破砕装置及び破砕プラントを得ることを目的とする。
【課題を解決するための手段】
【０００８】
請求項１に記載された発明に係る廃コンクリート材破砕装置は、廃コンクリート材が投入される破砕室と、
この破砕室内に回動軸が互いに平行になるように配置され、対向近接する破砕領域に引き込まれた廃コンクリート材を圧潰して破砕する一対の破砕ドラム体と、
一対の破砕ドラム体を回転駆動して、投入された廃コンクリート材を破砕領域に引き込んで破砕する１つ以上の駆動源と、
前記一対の破砕ドラム体の回動軸のトルクを計測する計測手段と、
前記トルクが予め定められた閾値を超えた場合に前記駆動源の回転駆動を逆回転方向に切換える制御手段とを備えたことを特徴とするものである。
【０００９】
請求項２に記載された発明に係る廃コンクリート材破砕装置は、請求項１に記載の駆動源が作動流体により回転駆動する油圧モーターであり、
前記計測手段が、油圧モーターへの作動流体の圧力を計測する圧力計であり、
前記制御手段が、前記圧力計により作動流体の圧力が予め定められた閾値を超えた際に油圧モーターへの作動流体の流れを切換える切換弁に指示を与えるものであることを特徴とするものである。
【００１０】
請求項３に記載された発明に係る廃コンクリート材破砕装置は、請求項１又は２に記載の一対の破砕ドラム体の一方の第１ドラム体のドラム面に均等に配された多数の第１突起部と、
他方のドラム体の第２ドラム体のドラム面に前記第１突起部同士の間に噛み合うように配された第２突起部とを備えたことを特徴とするものである。
【００１１】
請求項４に記載された発明に係る廃コンクリート材破砕プラントは、請求項１〜３の何れかに記載された廃コンクリート材破砕装置を配した廃コンクリート材破砕プラントであって、
廃コンクリート材を一対の破砕ドラム体により圧潰して破砕する前記廃コンクリート材破砕装置と、
廃コンクリート材破砕装置で破砕されたコンクリート材を所望の大きさで篩い分ける第１篩装置と、
第１篩装置の篩を通過しなかったコンクリート材を再度前記廃コンクリート材破砕装置へ投入する投入手段と、
第１篩装置の篩を通過した破砕コンクリート材を一対の破砕ドラム体により更に圧潰して破砕する別の廃コンクリート材破砕装置と、
別の廃コンクリート材破砕装置で破砕されたコンクリート材を所望の大きさで篩い分ける第２篩装置とを備えたことを特徴とするものである。
【００１２】
請求項５に記載された発明に係る廃コンクリート材破砕プラントは、請求項４に記載の第１又は第２篩装置が篩面を上下動させる振動篩装置であることを特徴とするものである。
【００１３】
請求項６に記載された発明に係る廃コンクリート材破砕プラントは、請求項４又は５に記載の第２篩装置が複数の篩目を数段組み合わせたものであることを特徴とするものである。
【発明の効果】
【００１４】
本発明は、特別な構造をとらずとも、一対の破砕ドラム体で破砕し難い材質が混入した廃コンクリート材であっても、装置自体の損傷を低減することが可能な廃コンクリート材破砕装置及び破砕プラントを得ることができるという効果がある。
【図面の簡単な説明】
【００１５】
【図１】本発明の廃コンクリート材破砕装置の一実施例の構成を示す説明図であり、ａ図は断面図、ｂ図は平面図である。
【図２】図１の廃コンクリート材破砕装置の油圧回路の構成を示す説明図である。ａ図は全体構成、ｂ図は破砕装置のギアの構成を示す。
【図３】別の廃コンクリート材破砕装置の油圧回路の構成を示す説明図である。
【図４】図１又は図３の廃コンクリート材破砕装置を含む破砕プラントの構成を示す説明図である。
【発明を実施するための形態】
【００１６】
本発明においては、廃コンクリート材が投入される破砕室と、この破砕室内に回動軸が互いに平行になるように配置され、対向近接する破砕領域に引き込まれた廃コンクリート材を圧潰して破砕する一対の破砕ドラム体と、一対の破砕ドラム体を回転駆動して、投入された廃コンクリート材を破砕領域に引き込んで破砕する１つ以上の駆動源と、一対の破砕ドラム体の回動軸のトルクを計測する計測手段と、計測されたトルクが予め定められた閾値を超えた場合に駆動源の回転駆動を逆回転方向に切換える制御手段とを備える。これにより、特別な構造をとらずとも、一対の破砕ドラム体で破砕し難い材質が混入した廃コンクリート材であっても、装置自体の損傷を低減することができる。
【００１７】
具体的には、廃コンクリート材は、粗骨材の砂利と、細骨材の砂、及び、固化したセメントが主となっている。尚、これに加えて、建築物に応じて鉄筋が混入されている。粗骨材は建築物に応じて最大の大きさは２０ｍｍ又は４０ｍｍであり、鉄筋を除くと廃コンクリート材の構成材としては粗骨材が最も硬度が高いと考えられる。このため、一対の破砕ドラム体面の最短距離をこの大きさとすることにより、鉄筋を除く廃コンクリート材は、砂利と、砂を含む破砕されたコンクリートに破砕される。
【００１８】
しかしながら、粗骨材の砂利は２０ｍｍ又は４０ｍｍの篩目を通過したものであるため、その方向によって２０ｍｍ又は４０ｍｍよりも長い部分を含む場合がある。このため、最短長の距離が２０ｍｍ又は４０ｍｍとした一対の破砕ドラム体でも硬い粗骨材がドラム体の回動を阻害する場合がある。また、建築物に使用される鉄筋径は、１６ｍｍ及び１９ｍｍが主流となっている。
【００１９】
本発明による破砕装置では、一対の破砕ドラム体で廃コンクリート材を圧潰して破砕する際に硬い材質のものが廃コンクリート材に混入されていた場合には、破砕ドラム体の回動軸のトルクが上昇する。このため、計測されたトルクが予め定められた閾値を超えた場合に駆動源の回転駆動を逆回転方向に切換えることにより、被破砕物である廃コンクリート材の破砕方向が変更することになる。一対の破砕ドラム体間を、粗骨材の砂利が通過する２０ｍｍ又は４０ｍｍより３〜１０ｍｍ大きくしたものとすることにより、正逆回転を何回も行うことにより、殆どの粗骨材が一対の破砕ドラム体間を通過して、粗骨材として再生することができる。
【００２０】
本発明の駆動源としては、電動モーター等が使用可能であるが、特に駆動源が作動流体により回転駆動する油圧モーターである場合には、回動速度は大きくはないが、大きな駆動力が得られる。このため、一対の破砕ドラム体で廃コンクリート材を圧潰して破砕することができる。
【００２１】
更に、破砕ドラム体の回動トルクも、作動流体の圧力を計測することにより、容易に計測できる利点もある。そこで、計測手段が油圧モーターへの作動流体の圧力を計測する圧力計であり、制御手段を圧力計により作動流体の圧力が予め定められた閾値を超えた際に油圧モーターへの作動流体の流れを切換える切換弁に指示を与えることにより、切換え系統が簡略化される。
【００２２】
尚、この場合、逆回転から再度の正回転への切換えは、圧力計が前記閾値を下回り、正回転可能にした規制圧力を下回った圧力となった際に切換えることが可能であり、更に、正回転可能となった圧力を下回った時点で、例えばタイマーで２〜５秒の所望の時間を経時した後に正回転させるようにしても良い。
【００２３】
特に、被破砕物が長尺・短尺部分を備えたものである場合には、逆回転により、被破砕物の長尺部分がドラムの軸方向に平行になり易い方向に移動することになる。このため、再度、正回転させて破砕操作を再開した場合に、短尺部分が一対の破砕ドラム体の間を通り抜ける可能性が高いものとなる。
【００２４】
好ましい態様として、一対の破砕ドラム体の一方の第１ドラム体のドラム面に均等に配された多数の第１突起部と、他方のドラム体の第２ドラム体のドラム面に第１突起部同士の間に噛み合うように配された第２突起部とを備えるものでは、これら第１、第２突起部により、方向が容易に変更されるため、再度、正回転させて破砕操作を再開した場合に、短尺部分が一対の破砕ドラム体の間を通り抜ける可能性が高くなる。
【００２５】
本発明においては、廃コンクリート材を一対の破砕ドラム体により圧潰して破砕する廃コンクリート材破砕装置と、廃コンクリート材破砕装置で破砕されたコンクリート材を所望の大きさで篩い分ける第１篩装置と、第１篩装置の篩を通過しなかったコンクリート材を再度前記廃コンクリート材破砕装置へ投入する投入手段と、第１篩装置の篩を通過した破砕コンクリート材を一対の破砕ドラム体により更に圧潰して破砕する別の廃コンクリート材破砕装置と、別の廃コンクリート材破砕装置で破砕されたコンクリート材を所望の大きさで篩い分ける第２篩装置とを備える。このため、破砕し難い材質が混入した廃コンクリート材であっても、装置自体の損傷を低減することができる。
【００２６】
即ち、廃コンクリート材を一対の破砕ドラム体により圧潰して破砕する廃コンクリート材破砕装置と、廃コンクリート材破砕装置で破砕されたコンクリート材を所望の大きさで篩い分ける第１篩装置と、第１篩装置の篩を通過しなかったコンクリート材を再度前記廃コンクリート材破砕装置へ投入する投入手段とにより、破砕し難い材料が混入した廃コンクリート材であっても、正回転・逆回転を何回も繰り返して行うことができ、更に、圧潰しても所望の篩を通過しなかったものは再度破砕装置にかけられることにより、破砕し難い材質のものでも何度も行うことにより圧潰される。また、再度投入する際に金属等の破砕し難い材質のものを取り除くことも可能となる。特に、鉄屑は磁気吸着することにより、容易に取り除くことが可能となる。
【００２７】
第１篩装置の篩を通過した破砕コンクリート材を一対の破砕ドラム体により更に圧潰して破砕する別の廃コンクリート材破砕装置と、別の廃コンクリート材破砕装置で破砕されたコンクリート材を所望の大きさで篩い分ける第２篩装置とにより、更に細かく圧潰・破砕することが可能となる。これにより、ビル等の取り壊しの際に発生する廃コンクリート材を砕石として使用することが可能となる。
【００２８】
第２篩装置としては、多段とすることにより、破砕装置から排出された砕石を、例えば１０ｍｍアンダー、１５ｍｍアンダー、２０ｍｍアンダー、２０ｍｍ以上の篩目で篩別しても良い。
【実施例】
【００２９】
実施例１．廃コンクリート材破砕装置１
図１は本発明の廃コンクリート材破砕装置の一実施例の構成を示す説明図であり、ａ図は断面図、ｂ図は平面図である。図２は図１の廃コンクリート材破砕装置の油圧回路の構成を示す説明図である。ａ図は全体構成、ｂ図は破砕装置のギアの構成を示す。
【００３０】
本実施例の廃コンクリート材破砕装置１０は、廃コンクリート材が上部の投入用ホッパー１１から投入される破砕室１２と、この破砕室１２内に一対の回動軸１３が互いに平行になるように配置され、対向近接する破砕領域に引き込まれた廃コンクリート材を圧潰して破砕する一対の破砕ドラム体１４と、一対の破砕ドラム体１４を回転駆動して、投入された廃コンクリート材を破砕領域に引き込んで破砕する駆動源として１つの油圧モーター２１とを備えている。
【００３１】
図１のｂ図及び図２のｂ図に示す通り、油圧モーター２１は一方の回動軸１３に連結されており、この回動軸１３に装着された歯車１５が中間歯車１６を介して、他方の回動軸１３に装着された歯車１７に動力が伝達されて他方の回動軸１３が回動し、他方の破砕ドラム体１４を回動駆動する。中間歯車１６を介する駆動であるため、図１のａ図において、一対の破砕ドラム体１４の上方から投入された廃コンクリート材は一対の破砕ドラム体１４が対向近接する破砕領域を経てドラム体１４の下方に導出される。
【００３２】
一対の破砕ドラム体１４の一方の第１ドラム体のドラム面に均等に配された多数の第１突起部１８と、他方のドラム体の第２ドラム体のドラム面に第１突起部１８同士の間に噛み合うように配された第２突起部１９とを備えている。破砕室１２の下方には、破砕領域を得てドラム体１４の下方に導出された被破砕物を排出する排出ホッパー２０が備わっている。
【００３３】
図２のａ図に示す通り、油圧モーター２１は油圧ポンプ２２から連通する油圧回路２３内の作動油によって駆動される。油圧駆動であるため、回動速度は大きくはないが、大きな駆動力が得られる。このため、一対の破砕ドラム体１４で廃コンクリート材を圧潰して破砕することができる。尚、油圧回路２３の作動油の貯留タンク２８への戻り近傍に作動油の逆流を防ぐ逆止弁２７が備えられている。
【００３４】
油圧回路２３には計測手段としての圧力計２４と切換弁２６とを備え、油圧モーター２１への作動油の圧力が計測される。制御手段２５は、圧力計２４により作動油の圧力が予め定められた閾値を超えた場合に油圧モーター２１への作動油の流れを切換える切換弁２６に指示を与える。
【００３５】
これら圧力計２４と制御手段２５と切換弁２６とにより、一対の破砕ドラム体１４の駆動トルクが高くなった場合には、油圧モータ２１に供給される作動油の圧力が高まることになる。このため、圧力計２４による作動流体の圧力が予め定められた閾値を超えた場合に制御手段２５により、油圧モーター２１への作動油の流れを切換える切換弁２６に指示を与える。切換弁２６により、油圧モーター２１への作動油の流れが切り替わり、油圧モーター２１の回転が正回転から逆回転に切り替わる。
【００３６】
これにより、一対のドラム体１４の回転が逆転することになり、トルクの上昇が解消される。本実施例の制御手段２５は、圧力計２４が閾値を下回り、正回転可能にした規制圧力を下回った時点で、内蔵のタイマーで５秒の所望の時間を経時した後に正回転させるように設定している。これにより、突起部１８，１９により、長尺・短尺部分を備えた被破砕物である場合に、逆回転により、被破砕物の長尺部分がドラムの軸方向に平行になり易い方向に移動し、再度、正回転させて破砕操作を再開した場合に、短尺部分が一対の破砕ドラム体の間を通り抜け易くなる。
【００３７】
尚、一対の破砕ドラム体間を、粗骨材の砂利が通過する２０ｍｍ又は４０ｍｍより１〜３ｍｍ大きくしたものに設定している。これにより、正逆回転を何回も行った場合に、殆どの粗骨材が一対の破砕ドラム体間を通過して、粗骨材として再生することができる。
【００３８】
実施例２．廃コンクリート材破砕装置２
図３は別の廃コンクリート材破砕装置の油圧回路の構成を示す説明図である。尚、図１，２と同様の構成には同じ符号を伏している。実施例１では、油圧モーター２１を一つとして、歯車１５〜１７で他方のドラム体を駆動したが、本実施例では、各々の破砕ドラム体１４の回動軸１３の各々に油圧モータ３１ａ，ｂを装着している。これにより、一対の破砕ドラム体１４は個別に回動することが可能となっている。
【００３９】
即ち、図３に示す通り、２つの油圧モーター３１ａ，ｂは油圧ポンプ３２から連通する油圧回路３３内の作動油によって駆動される。実施例１と同様に油圧駆動であるため、回動速度は大きくはないが、大きな駆動力が得られる。このため、一対の破砕ドラム体１４で廃コンクリート材を圧潰して破砕することができる。尚、油圧回路３３の作動油の貯留タンク３８への戻り近傍に作動油の逆流を防ぐ逆止弁３７が備えられている。
【００４０】
油圧回路３３には計測手段としての圧力計３４と２つの切換弁３６ａ，ｂとを備え、油圧モーター３１への作動油の圧力が計測される。制御手段３５は、圧力計３４により作動油の圧力が予め定められた閾値を超えた場合に油圧モーター３１への作動油の流れを切換える各々の切換弁３６ａ，ｂに指示を与える。
【００４１】
これら圧力計３４と制御手段３５と切換弁３６とにより、一対の破砕ドラム体１４の駆動トルクが高くなった場合には、油圧モータ３１に供給される作動油の圧力が高まることになる。このため、圧力計３４による作動流体の圧力が予め定められた閾値を超えた場合に制御手段３５により、油圧モーター３１への作動油の流れを切換える切換弁３６ａ，ｂに指示を与える。切換弁３６ａ，ｂにより、油圧モーター３１への作動油の流れが切り替わり、油圧モーター３１の回転が正回転から逆回転に切り替わる。
【００４２】
これにより、一対のドラム体１４の回転が逆転することになり、トルクの上昇が解消される。本実施例の制御手段３５は、実施例１と同様に圧力計３４が閾値を下回り、正回転可能にした規制圧力を下回った時点で、内蔵のタイマーで５秒の所望の時間を経時した後に正回転させるように設定している。これにより、突起部１８，１９により、長尺・短尺部分を備えた被破砕物である場合に、逆回転により、被破砕物の長尺部分がドラムの軸方向に平行になり易い方向に移動し、再度、正回転させて破砕操作を再開した場合に、短尺部分が一対の破砕ドラム体の間を通り抜け易くなる。
【００４３】
尚、切換弁３６ａ及び３６ｂの切換えを個別にすることにより、ドラム体１４の回動方向が向かい合うように回転したり、同じ回転方向に回転することが可能となる。これにより、ドラム体に突起部１８，１９がないドラム体であっても、一対のドラム体１４を同じ回転方向に回転させることにより、被破砕物の長尺部分がドラムの軸方向に平行になり易い方向に移動し、再度、正回転させて破砕操作を再開した場合に、短尺部分が一対の破砕ドラム体の間を通り抜け易くなる。
【００４４】
実施例３．廃コンクリート材破砕プラント
図４は図１又は図３の廃コンクリート材破砕装置を含む破砕プラントの構成を示す説明図である。図４に示す通り、第１破砕装置４０と第２破砕装置５０とを幾つかの振動篩装置で経路を形成したものである。
【００４５】
即ち、一対の破砕ドラム体間を４０ｍｍより大きい５０ｍｍとした第１破砕装置４０の油圧モーターを実施例１又は実施例２に示した油圧回路と油圧ポンプと圧力計と制御手段と切換弁とで駆動することにより、回動トルクに応じて正逆回転を行いつつ圧潰破砕された破砕物が第１振動篩装置４１上に落下する。この際、一対の破砕ドラム体の中間位置上部に磁石を配置して、廃コンクリート材中の鉄屑を吸着しつつ一対の破砕ドラム体での破砕を行っても良い。
【００４６】
第１振動篩装置４１に落下した破砕物は、篩面の振動によって、下流に搬送されつつ小さな破砕物は篩目が４０ｍｍの篩を通過してシューター４２上に滑り落ち、図示してはいないがコンベア等の搬送手段によって第２破砕装置５０に投入される。尚、この振動篩面の上方やシューター４２の上方に磁石を配置して、廃コンクリート材中の鉄屑を吸着しつつ一対の破砕ドラム体での破砕を行っても良い。篩目を通過しなかった破砕物は再度コンベア等の搬送手段によって第１破砕装置５０に投入される。
【００４７】
一対の破砕ドラム体間を２０ｍｍより大きい３０ｍｍとした第２破砕装置５０の油圧モーターにおいても、実施例１又は実施例２に示した油圧回路と油圧ポンプと圧力計と制御手段と切換弁とで駆動することにより、回動トルクに応じて正逆回転を行いつつ圧潰破砕された破砕物が第２振動篩装置５１上に落下する。第２振動篩装置５１上に落下した破砕物は、振動によって、下流に搬送されつつ小さな破砕物は篩目が１０ｍｍの篩を通過して第１貯留部５２に１０ｍｍアンダーの破砕物が落下する。
【００４８】
第２振動篩装置５１の篩を通過しなかった破砕物は下流の第３振動篩装置５３上に落下し、振動によって、下流に搬送されつつ小さな破砕物は篩目が１５ｍｍの篩を通過して第２貯留部５４に１５ｍｍアンダーの破砕物が落下する。第３振動篩装置５３の篩を通過しなかった破砕物は更に下流の第４振動篩装置５５上に落下し、振動によって、下流に搬送されつつ小さな破砕物は篩目が２０ｍｍの篩を通過して第３貯留部５６に２０ｍｍアンダーの破砕物が落下し、第４振動篩装置５５の篩を通過しなかった破砕物は更に下流の第４貯留部５７に２０ｍｍ以上の破砕物が落下する。
【００４９】
これら２つの破砕装置を備えることにより、更に細かく圧潰・破砕することが可能となる。これにより、ビル等の取り壊しの際に発生するコンクリート廃材を砕石として使用することが可能となる。尚、本実施例は粗骨材である砂利として２０ｍｍの篩目を通過したものを使用した廃コンクリート材を粗骨材として再生することを記載したが、廃コンクリート材に含まれる粗骨材の大きさに応じてドラム体間の距離、振動篩装置の篩目の大きさを変更可能とすることは言うまでもない。
【符号の説明】
【００５０】
１０…廃コンクリート材破砕装置、
１１…投入用ホッパー、
１２…破砕室、
１３…回動軸、
１４…破砕ドラム体、
１５…歯車、
１６…中間歯車、
１７…歯車、
１８…第１突起部、
１９…第２突起部、
２０…排出ホッパー、
２１、３１ａ、３１ｂ…油圧モーター、
２２、３２…油圧ポンプ、
２３、３３…油圧回路、
２４、３４…圧力計、
２５、３５…制御手段、
２６、３６ａ、３６ｂ…切換弁、
２７、３７…逆止弁、
２８、３８…貯留タンク、
４０…第１破砕装置、
４１…第１振動篩装置、
４２…シューター、
５０…第２破砕装置、
５１…第２振動篩装置、
５２…第１貯留部、
５３…第３振動篩装置、
５４…第２貯留部、
５５…第４振動篩装置、
５６…第３貯留部、
５７…第４貯留部、
【図１】
2013255875.tif 000003
【図２】
2013255875.tif 000004
【図３】
2013255875.tif 000005
【図４】
2013255875.tif 000006